(57)【要約】【課題】  データの取り違え発生の防止、および設計工程の進捗状況の把握を容易化できるデータ管理システムを提供すること。【解決手段】  設計の依頼者から、その設計を受託した受託者へのデータの送信、前記受託者から前記依頼者へのデータの返信を一つのジョブとし、そのジョブに対しどのような設計工程であるかの情報を付加し、現在、どの工程が進行中であるかをＷｅｂ上において表示可能にすることで、データの取り違え発生を防止するとともに、設計工程の進捗状況の把握を容易にする。【選択図】      図２
2005196518.tif 000002
【特許請求の範囲】
【請求項１】
ネットワークに接続された依頼者端末と受託者端末との間のデータの受け渡しを管理するデータ管理システムであって、
設計回路名を含む設計回路についての情報および作業担当者情報を登録する登録部と、
前記設計回路の実データを保存する実データ格納部と、
前記実データに付加された前記設計回路についての情報と前記作業担当者情報、および前記依頼者端末と前記受託者端末との間のデータの送受信がどの設計工程で送受信されたかを示す設計工程情報を保存する情報データ格納部と、
前記実データ格納部に対する前記実データの書き込み、読み出し、および前記情報データ格納部に対する前記情報の書き込み、読み出しを制御し、前記設計工程情報の識別を行う管理制御手段と、
前記実データ格納部に対する前記実データの書き込み、読み出し、前記情報データ格納部に対する前記情報の書き込み、読み出しがあると前記管理制御手段が行う通知をもとに前記依頼者端末と前記受託者端末の全てへ前記書き込み、読み出しについてメール配信を行う通知部と、
前記実データ格納部や前記情報データ格納部の状態を、前記依頼者端末や前記受託者端末において表示する表示部と、
を備えたことを特徴とするデータ管理システム。
【請求項２】
前記登録部は、前記依頼者端末側の設計担当者情報を登録し、前記登録された設計回路についての情報および前記依頼者端末側の設計担当者情報に対し、前記受託者端末側の担当者情報を登録することを特徴とする請求項１記載のデータ管理システム。
【請求項３】
前記表示部は、前記実データ格納部に保存された実データ、前記情報データ格納部に保存された前記情報、前記実データ格納部や前記情報データ格納部の状態を、前記依頼者端末や前記受託者端末において表示することを特徴とする請求項１記載のデータ管理システム。
【請求項４】
前記実データは、前記依頼者端末から送信された前記設計回路の論理設計情報または前記受託者端末側から送信された前記論理設計情報に対するレイアウト設計情報であることを特徴とする請求項１記載のデータ管理システム。
【発明の詳細な説明】
【技術分野】
【０００１】
本発明は、例えば論理設計に対するレイアウト設計が必要なＬＳＩの設計作業に用いて好適なデータ管理システムに関し、データの送信に対し、どの工程のデータであるかの情報を付加することにより、設計作業を進める際のデータの取り違え、現在の進捗状況を容易に把握できるデータ管理システムに関する。
【背景技術】
【０００２】
従来、ＬＳＩの回路設計では、離れた場所で作業を行う設計者間でデータの受け渡しを行うことが多い。このデータは、例えばＬＳＩの設計作業を行う際の論理設計情報と、その論理設計情報に対するレイアウト設計情報である。このようなデータの受け渡しは、テープなどのメディアを使用するか、あるいはＦＴＰ（Ｆｉｌｅ  Ｔｒａｎｓｆｅｒ  Ｐｒｏｔｏｃｏｌ）を用いて行なっている。
このような、データの受け渡しを行うための従来のデータ管理システムとしては、アクセスを行うユーザが制御でき、ファイルのアップロード、ダウンロードの際にメールが通知され、アップロードしたファイルに対して説明が付加できる機能を有したアクティブ・ファイル・システムのための方法および装置がある（例えば、特許文献１参照）。
【特許文献１】特表２００３−５１５１９９号公報
【発明の開示】
【発明が解決しようとする課題】
【０００３】
かかる従来のデータ管理システムにおいては、データの送受信の際に工程管理を行うという機能は備えておらず、このため、設計工程が複雑になり、受け渡しされる回数やファイル数が多くなると、データの管理が繁雑になり、データの取り違えが起こる原因となる課題があった。また、工程が複雑になることで現在の工程の把握が困難となり、データの受け渡しを行う設計依頼者と設計受託者の間で設計工程の進捗状況を把握するのが容易でないという課題があった。
【０００４】
本発明は、このような事情に鑑みてなされたものであり、データの取り違え発生の防止、および設計工程の進捗状況の把握を容易化できるデータ管理システムを提供することを目的とする。
【課題を解決するための手段】
【０００５】
上述の目的を達成するため、本発明にかかるデータ管理システムは、ネットワークに接続された依頼者端末と受託者端末との間のデータの受け渡しを管理するデータ管理システムであって、設計回路名を含む設計回路についての情報および作業担当者情報を登録する登録部と、前記設計回路の実データを保存する実データ格納部と、前記実データに付加された前記設計回路についての情報と前記作業担当者情報、および前記依頼者端末と前記受託者端末との間のデータの送受信がどの設計工程で行われたかを示す設計工程情報を保存する情報データ格納部と、前記実データ格納部に対する前記実データの書き込み、読み出しの制御、および前記情報データ格納部に対する前記情報の書き込み、読み出しの制御、前記設計工程情報の識別を行う管理制御手段と、前記実データ格納部に対する前記実データの書き込み、読み出し、前記情報データ格納部に対する前記情報の書き込み、読み出しがあると前記管理制御手段が行う通知をもとに前記依頼者端末と前記受託者端末の全てへ前記書き込み、読み出しについてメール配信を行う通知部と、前記実データ格納部や前記情報データ格納部の状態を、前記依頼者端末や前記受託者端末において表示する表示部とを備えたことを特徴とする。
【発明の効果】
【０００６】
本発明にかかるデータ管理システムは、実データ格納部に対する実データの書き込み、読み出しの制御、および情報データ格納部に対する前記実データに付加された設計工程情報を含む情報の書き込み、読み出しの制御、前記設計工程情報の識別を管理制御手段により行い、前記実データ格納部に対し前記実データや前記情報の書き込み、読み出しがあると前記管理制御手段が行う通知をもとに、前記依頼者端末と前記受託者端末の全てへ前記書き込み、読み出しについて通知部からメール配信を行うため、設計作業を進める際のデータの取り違えを防止でき、また、前記実データ格納部や前記情報データ格納部の状態を、前記依頼者端末や前記受託者端末において表示できるため、現在の進捗状況を容易に把握できるデータ管理システムを提供できる効果がある。
【発明を実施するための最良の形態】
【０００７】
設計の依頼者から、その設計を受託した受託者へのデータの送信、前記受託者から前記依頼者へのデータの返信を一つのジョブとし、そのジョブに対しどのような設計工程であるかの情報を付加することで、データの取り違え発生の防止、および設計工程の進捗状況の把握を容易化するという目的を、設計回路名を含む設計回路についての情報および作業担当者情報を登録部により登録し、前記設計回路の実データを実データ格納部へ保存し、前記実データに付加された前記設計回路についての情報と前記作業担当者情報、および前記依頼者端末と前記受託者端末との間のデータの送受信がどの設計工程で行われたかを示す設計工程情報を情報データ格納部へ保存し、前記実データ格納部に対する前記実データの書き込み、読み出しの制御、および前記情報データ格納部に対する前記情報の書き込み、読み出しの制御、前記設計工程情報の識別を管理制御手段が行い、前記実データ格納部に対する前記実データの書き込み、読み出し、前記情報データ格納部に対する前記情報の書き込み、読み出しがあると前記管理制御手段が行う通知をもとに前記依頼者端末と前記受託者端末の全てへ前記書き込み、読み出しについて通知部によりメール配信を行い、前記実データ格納部や前記情報データ格納部の状態を、表示部が前記依頼者端末や前記受託者端末において表示可能にすることで実現した。
【実施例１】
【０００８】
この実施例１のデータ管理システムは、設計の依頼者から、その設計を受託した受託者へのデータの送信、前記受託者から前記依頼者へのデータの返信を一つのジョブとし、そのジョブに対しどのような設計工程であるかの情報を付加し、現在、どの工程が進行中であるかをＷｅｂ上において表示できるようにすることで、データの取り違え発生を防止するとともに、設計工程の進捗状況を容易に把握できるようにしたものである。以下、ＬＳＩの設計作業を行う際の論理設計情報とレイアウト設計情報の受け渡しを一例として説明する。
【０００９】
図１は、この実施例１のデータ管理システムのシステム構成図である。このデータ管理システムは、ネットワーク１に接続された依頼者端末２と、受託者端末３と、前記依頼者端末２と受託者端末３との間のデータの受け渡しを管理するサーバ４とを備える。
ネットワーク１は、インターネット、イントラネットまたはイーサーネットを含む通信網である。依頼者端末２は、ネットワーク１に接続された依頼者側の端末装置であり、この依頼者端末２により依頼者はサーバ４に対し、論理設計情報やＬＳＩの設計作業を行う際に必要な設計回路情報と依頼者側の設計担当者情報を、ブラウザを使用して登録することが出来る。受託者端末３は、ネットワーク１に接続された受託者側の端末装置であり、受託者は、前記依頼者端末２から登録された前記設計回路情報と依頼者側の設計担当者情報に対し、この受託者端末３から受託者側の担当者情報をブラウザを使用して登録することが出来る。サーバ４は、依頼者端末２と受託者端末３との間の設計回路情報やその属性情報の受け渡しを１つのジョブとして扱い、そのジョブに対しどの設計工程であるかを管理する機能、ジョブの内容を登録者全員へ通知する機能、依頼者端末２や受託者端末３のディスプレイ装置へ表示するＷｅｂブラウザ表示内容データを保存する機能を備えており、このデータ管理システムの中核となる装置である。
【００１０】
図２は、依頼者端末２と受託者端末３とサーバ４との構成を示す機能ブロック図である。図２に示すように、サーバ４の構成は、登録部４１、制御部（管理制御手段）４２，４３、実データ格納部４４、ジョブ識別部（管理制御手段）４５、管理部（管理制御手段）４６、情報データ格納部４７、通知部４８、表示部４９および認証機能５１を含む。
登録部４１は、依頼者がサーバ４へ設計回路についての情報および依頼者側の設計担当者情報をブラウザを使用して登録し、また、前記依頼者により登録された前記設計回路についての情報および依頼者側の設計担当者情報に対し、受託者が受託者側の担当者情報をブラウザを使用して登録するためのものである。登録部４１により登録された前記依頼者側の設計担当者情報、前記受託者側の設計担当者情報は通知部４８へ送られる。
制御部４２は、論理設計情報などの実データを実データ格納部４４に保存し、送信者、送信日、ファイル名、ファイルサイズ、依頼者が付加した設計情報などの前記実データについての属性情報を情報データ格納部４７に保存し、また、通知部４８へ通知するものである。制御部４３は、前記論理設計情報に対し受託者により作成されたレイアウト設計情報などの成果物を実データ格納部４４に保存し、送信者、送信日、ファイル名、ファイルサイズ、受託者が付加した設計情報などの前記成果物についての属性情報を情報データ格納部４７に保存し、また、通知部４８へ通知するものである。
実データ格納部４４は、依頼者端末２から送られてきた前記論理設計情報などの実データと、その実データに対し受託者端末３から送られてきたレイアウト設計情報である成果物を格納する。
【００１１】
ジョブ識別部４５はジョブの種類を識別する。ジョブの種類は、この実施例１では、Ａ、Ｂ、Ｃの３種類ある。図４は、このジョブの種類を示す説明図である。種類Ａはジョブの開始者が依頼者端末２の依頼者であり、依頼者から与えられた論理設計情報に対し、受託者がレイアウト設計情報を作成し、これを前記依頼者へ返送するなどの受託者からのデータの返送が伴うジョブである。種類Ｂはジョブの開始者が依頼者端末２の依頼者であり、例えば依頼者から受託者へ一方的に指示やデータを送るような受託者からのデータの返送が伴わないジョブである。種類Ｃはジョブの開始者が受託者端末３の受託者であり、例えば受託者から依頼者へ一方的に指示やデータを送るような依頼者からのデータの返送が伴わないジョブである。
【００１２】
図３は、これら種類Ａ、Ｂ，Ｃのジョブを依頼者端末２とサーバ４と受託者端末３との間で受け渡しされるデータの流れで示した説明図であり、符号１０１が種類Ａのジョブ、符号１０２が種類Ｂのジョブ、符号１０３が種類Ｃのジョブを示す。符号１０１により示される種類Ａのジョブでは、依頼者から送られた論理設計情報に対し、その各部分に対し受託者でレイアウト設計情報をそれぞれ作成し、これらレイアウト設計情報をそれぞれ全て前記依頼者へ返送することで終了する。
【００１３】
図２に戻り、管理部４６は、制御部４２，４３とジョブ識別部４５を含む構成であり、依頼者端末２とサーバ４との間の前記実データ、前記成果物の送受信がどの設計工程に係るものであるかを管理している。情報データ格納部４７は、送信者、送信日、ファイル名、ファイルサイズ、依頼者や受託者が付加した設計情報などの前記属性情報を保存するものである。通知部４８は、前記制御部４２，４３から受け取った前記情報を担当者全員へメールにて送信する機能を備えている。また、登録部４１により登録され、前記登録部４１から送られてきた前記依頼者側の設計担当者情報、前記受託者側の設計担当者情報を、依頼者や受託者へメールにて送信する機能を備えている。
【００１４】
表示部４９は、実データ格納部４４に格納されている前記実データ、成果物や、情報データ格納部４７に格納された前記送信者、送信日、ファイル名、ファイルサイズ、依頼者や受託者が付加した設計情報の内容データを格納する格納部を備え、前記実データ格納部４４や前記情報データ格納部４７の状態、前記内容データをＷｅｂブラウザへ表示する機能を備えている。認証機能５１は、登録部４１により登録された前記依頼者側の設計担当者および前記受託者側の担当者に対し、ブラウザを使用したジョブの操作を可能にするアクセス権を付与する機能である。また、前記依頼者側の設計担当者および前記受託者側の設計担当者は、前記認証機能５１によりジョブの操作を行なった結果をブラウザ上で参照できる。
【００１５】
次に動作について説明する。
図５は、このデータ管理システムの全体動作の概要を示すフローチャートである。図６は、このデータ管理システムにおける種類Ａのジョブおよび種類Ｂのジョブの進行に伴う処理動作を示すフローチャートである。図７は、このデータ管理システムにおける種類Ａのジョブの進行に伴う依頼者端末２とサーバ４と受託者端末３との間の処理動作を示すシーケンス図である。図８は、このデータ管理システムにおける種類Ｃのジョブの進行に伴う処理動作を示すフローチャートである。
先ず、図５に示すフローチャートを参照し、このデータ管理システムの全体動作の概要について説明する。ステップＳ１では、ＬＳＩの設計作業業務が発生すると、依頼者はその依頼者端末２からサーバ４へ設計回路についての情報および依頼者側の設計担当者情報をブラウザを使用して登録する。続くステップＳ２では、前記依頼者により登録された依頼者側の設計担当者情報に対し、受託者が受託者側の担当者情報をブラウザを使用して登録する。これら登録処理はサーバ４の登録部４１により行われる。これら登録部４１により登録された前記依頼者側の設計担当者情報および前記受託者側の担当者情報などの登録内容は、通知部４８へ送られ、通知部４８から前記依頼者および前記受託者を含む担当者全員へメールにより送信される。ステップＳ３では依頼者がジョブを開始し、受託者端末３との間で必要なデータの送受信を行う。
【００１６】
このステップＳ３で行う必要なデータの送受信では、種類Ａおよび種類Ｂのジョブについては図６のフローチャートに示す処理を実行し、また種類Ｃに示すジョブについては図８のフローチャートに示す処理を実行する。
種類Ａおよび種類Ｂのジョブについては、図５に示すシーケンス図および図６のフローチャートに示すように、先ず、依頼者は依頼者端末２を操作し、ブラウザ上でジョブ名、ファイル名、設計情報などの属性情報を入力し、サーバ４へ論理設計情報などの実データとともにその属性情報を送信する。サーバ４の制御部４２は、前記実データを実データ格納部４４に保存し、さらに前記実データの属性情報である送信者、送信日、ファイル名、ファイルサイズ、依頼者が付加した前記設計情報を情報データ格納部４７に保存して通知部４８に通知する。通知部４８は、受け取った前記属性情報を担当者全員へメールにて送信する（ステップＳ２０１）。
【００１７】
続いて、受託者は、受託者端末３において、実データ格納部４４に保存されている前記実データおよび情報データ格納部４７に保存されている前記属性情報をサーバ４の表示部４９により視覚的に確認し、これら実データとその属性情報を受託者端末３において受信する。実データおよびその属性情報が受託者端末３において受信される際には、制御部４３により受信者、受信日、ファイル名、ジョブ名などの受信情報が情報データ格納部４７に保存され、通知部４８へ送られ、通知部４８から担当者全員へメールにて送付される（ステップＳ２０２）。
【００１８】
次に、受託者は、受託者端末３において受信した前記実データおよびその属性情報を確認し、間違いがあるか否かを判断し（ステップＳ２０３）、間違いがあれば、ブラウザ上において依頼者に対し再送を要求する（ステップＳ２０４）。この再送要求では、受託者端末３においてジョブ名を指定し、再送理由を入力し、再送要求をサーバ４へ送る。再送要求者および再送理由は、制御部４３により情報データ格納部４７へ保存され、通知部４８により担当者全員へメールにて送付される。再送要求に係るジョブについては、制御部４２，４３により再送が可能になる。
【００１９】
一方、ステップＳ２０３において不備がない場合、ジョブの種類を判定し（ステップＳ２０５）、種類Ａのジョブであれば、受託者は依頼者端末２から送られてきた実データをもとにレイアウト設計情報である成果物を作成する。
【００２０】
また、種類Ｂのジョブであれば、受託者はブラウザ上でジョブの終了を行い、ジョブの終了通知をサーバ４へ通知する（ステップＳ２１１）。受託者端末３からジョブの終了通知があると、サーバ４の制御部４３は、作業者および終了日を情報データ格納部４７へ保存し、実データ格納部４４から該当ジョブについてのデータを削除する。そして、通知部４８は、前記ジョブの終了を担当者全員へ通知する。
【００２１】
前記受託者は前記成果物を作成すると、返信するジョブをブラウザ上で指定し、前記作成した成果物をサーバ４へ送信する。前記成果物を送信する際には、ファイル名、設計情報を受託者端末３から入力する。サーバ４が前記成果物を受信すると、サーバ４の制御部４３は受信した前記成果物を実データ格納部４４へ保存し、さらに送信者、送信日、ファイル名、ジョブ名、ファイルサイズ、依頼者が付加した設計情報などの前記成果物についての属性情報を情報データ格納部４７に保存し通知部４８に通知する。通知部４８は、受け取った前記属性情報を担当者全員へメールにて送信する。受託者端末３からの成果物の返信はジョブが終了するまで複数回行うことが可能である（ステップＳ２０６）。
【００２２】
依頼者は、依頼者端末２から、サーバ４の表示部４９により実データ格納部４４に保存されている前記成果物および情報データ格納部４７に保存されている前記属性情報を視覚的に確認し、これら成果物とその属性情報を依頼者端末２において受信する。成果物およびその属性情報が依頼者端末２において受信される際には、制御部４２により受信者、受信日、ファイル名、ジョブ名などの受信情報が情報データ格納部４７に保存され、通知部４８へ送られ、通知部４８から担当者全員へメールにて送付される（ステップＳ２０７）。
【００２３】
依頼者は、前記成果物とその属性情報を依頼者端末２において受信後、それらデータを確認し、データに間違いがあるか否かを判定し（ステップＳ２０８）、間違いがあれば受託者に対しデータ再送を要求する。依頼者によるこの再送要求はブラウザ上で行い、ジョブ名を指定し、再送理由を入力し、再送要求を行う（ステップＳ２０９）。再送要求を行なった依頼者および再送理由は、サーバ４の制御部４２により情報データ格納部４７へ保存され、通知部４８により担当者全員へメールにて送付される。
【００２４】
ステップＳ２０８において依頼者がデータに間違いがないと判定した場合、続いて、前記ステップＳ２０１で送信した実データに対する成果物が全て依頼者側へ送信されたかを判定する（ステップＳ２１０）。この結果、前記成果物が全て依頼者側へ送信されていない状態であれば、前記ステップＳ２０１で送信した実データに対する成果物が全て依頼者側へ送信されるまで、前記依頼者が送信した実データに対する成果物を、前記依頼者側が前記サーバ４から受信するたびに、サーバ４はその受信者、ファイル名、ジョブ名を含む受信情報を依頼者、受託者の担当者全員へメールにて送信し、前記実データに対する成果物が受託者側から全て依頼者側へ送信されるまでステップＳ２０６からステップＳ２１０までの処理を繰り返す。
【００２５】
この結果、前記成果物が全て依頼者側へ送信されると、前記依頼者はそのジョブを終了し、ジョブの終了通知をサーバ４へ送る（ステップＳ２１１）。サーバ４の制御部４２は、前記ジョブの終了通知があると、前記成果物を作成した作業者および終了日を情報データ格納部４７に保存し、実データ格納部４４から該当するジョブについてのデータを削除する。そして、サーバ４の通知部４８は、前記ジョブの終了を担当者全員へ通知する。
【００２６】
次に、ジョブの開始者が受託者端末３の受託者であり、依頼者からのデータの返送が伴わないジョブである種類Ｃのジョブの進行に伴う処理動作を、図８のフローチャートを参照して説明する。
この種類Ｃのジョブでは、受託者はジョブ名、ファイル名、設計情報をブラウザ上で入力し、サーバ４へ送信する。サーバ４の制御部４３は受信した前記データの内の実データを実データ格納部４４へ保存し、さらに送信者、送信日、ファイル名、ファイルサイズ、前記受託者が付加した設計情報などの前記実データについての属性情報を情報データ格納部４７に保存し通知部４８に通知する。通知部４８は、受け取った前記属性情報を担当者全員へメールにて送信する（ステップＳ３０１）。
【００２７】
続いて、依頼者は、依頼者端末２から、サーバ４の表示部４９により実データ格納部４４に保存されている前記実データおよび情報データ格納部４７に保存されている前記属性情報を視覚的に確認し、これら実データとその属性情報を依頼者端末２においてサーバ４から受信する。実データおよびその属性情報が依頼者端末２において受信される際には、制御部４２により受信者、受信日、ファイル名などの受信情報が情報データ格納部４７に保存され、通知部４８へ送られ、通知部４８から担当者全員へメールにて送付される（ステップＳ３０２）。
【００２８】
依頼者は、前記実データとその属性情報をサーバ４から受け取った後、確認し、データに間違いがあるか否かを判定し（ステップＳ３０３）、間違いがあれば前記受託者に対しデータ再送を要求する。依頼者によるこの再送要求はブラウザ上で行い、再送理由を入力し、再送要求を行う（ステップＳ３０４）。再送要求を行なった依頼者および再送理由は、サーバ４の制御部４２により情報データ格納部４７へ保存され、通知部４８により担当者全員へメールにて送付される。この結果、前記依頼者から再送要求が出されたジョブについては、サーバ４の制御部４２により再送が可能になる。
【００２９】
ステップＳ３０３において前記依頼者がデータに間違いがないと判定した場合、前記依頼者はそのジョブを終了し、ジョブの終了通知をサーバ４へ送る（ステップＳ３０４）。このジョブ終了について通知があると、サーバ４の制御部４２は、作業者および終了日を情報データ格納部４７に保存し、実データ格納部４４から該当するジョブについてのデータを削除する。そして、サーバ４の通知部４８は、前記ジョブの終了を担当者全員へ通知する。
【００３０】
以上のように、この実施例１によれば、種類Ａおよび種類Ｂのジョブでは、ブラウザ上でジョブ名、ファイル名、設計情報などの属性情報を入力し、サーバ４へ実データとともにその属性情報を送信する。サーバ４の制御部４２は、前記実データを実データ格納部４４に保存し、さらに前記実データの属性情報を情報データ格納部４７に保存して通知部４８に通知する。通知部４８は、受け取った前記属性情報を担当者全員へメールにて送信する。
また、種類Ａのジョブにおいて、受託者が作成した成果物を送信する際には、返信するジョブをブラウザ上で指定し、ファイル名、設計情報を受託者端末３から入力しサーバ４へ前記作成した成果物を送信する。そして、サーバ４が前記成果物を受信すると、サーバ４の制御部４３は受信した前記成果物を実データ格納部４４へ保存し、さらに送信者、送信日、ファイル名、ファイルサイズ、依頼者が付加した設計情報などの前記成果物についての属性情報を情報データ格納部４７に保存し通知部４８に通知する。通知部４８は、受け取った前記属性情報を担当者全員へメールにて送信する。
また、種類Ｃのジョブでは、受託者はジョブ名、ファイル名、設計情報をブラウザ上で入力し、実データとともにサーバ４へ送信する。そして、サーバ４の制御部４３は受信した前記実データを実データ格納部４４へ保存し、さらに送信者、送信日、ファイル名、ファイルサイズ、前記受託者が付加した設計情報などの前記実データについての属性情報を情報データ格納部４７に保存し通知部４８に通知する。通知部４８は、受け取った前記属性情報を担当者全員へメールにて送信する。
従って、データ送信の際にどの工程のデータであるかの情報を付加できることになって、データを受信する側においては、受け取ったデータがどの工程のデータなのを容易に判別できるようになるため、データの取り違えなどの発生を防止できるデータ管理システムを提供できる効果がある。
さらに、データの送受信時、その他ジョブへの操作がなされたときに担当者全員へメールにて通知が行われるため、担当者への連絡漏れなど連携作業を行う際の障害を有効に防止できるデータ管理システムを提供できる効果がある。
【００３１】
また、受託者は、受託者端末３において、実データ格納部４４に保存されている前記実データおよび情報データ格納部４７に保存されている前記属性情報をサーバ４の表示部４９により確認することが出来る。一方、依頼者は、依頼者端末２から、サーバ４の表示部４９により実データ格納部４４に保存されている成果物や情報データ格納部４７に保存されているその属性情報を視覚的に確認できる。
従って、データの流れが視覚的に確認できるため、作業が現在どの工程まで進んでいるのかなどの、設計工程の進捗状況の把握が容易になるデータ管理システムを提供できる効果がある。
【図面の簡単な説明】
【００３２】
【図１】本発明の実施例１のデータ管理システムのシステム構成図である。
【図２】本発明の実施例１のデータ管理システムの依頼者端末と受託者端末とサーバとの構成を示す機能ブロック図である。
【図３】本発明の実施例１の種類Ａ、Ｂ，Ｃのジョブを依頼者端末とサーバと受託者端末との間で受け渡しされるデータの流れで示した説明図である。
【図４】本発明の実施例１のジョブの種類を示す説明図である。
【図５】本発明の実施例１のデータ管理システムの全体動作の概要を示すフローチャートである。
【図６】本発明の実施例１のデータ管理システムにおける種類Ａのジョブおよび種類Ｂのジョブの進行に伴う処理動作を示すフローチャートである。
【図７】本発明の実施例１のデータ管理システムにおける種類Ａのジョブの進行に伴う依頼者端末とサーバと受託者端末との間の処理動作を示すシーケンス図である。
【図８】本発明の実施例１のデータ管理システムにおける種類Ｃのジョブの進行に伴う処理動作を示すフローチャートである。
【符号の説明】
【００３３】
１……ネットワーク、２……依頼者端末、３……受託者端末、４……サーバ、４１……登録部、４２，４３……制御部（管理制御手段）、４４……実データ格納部、４５……ジョブ識別部（管理制御手段）、４６……管理部（管理制御手段）、４７……情報データ格納部、４８……通知部、４９……表示部。
【図１】
2005196518.tif 000003
【図２】
2005196518.tif 000004
【図３】
2005196518.tif 000005
【図４】
2005196518.tif 000006
【図５】
2005196518.tif 000007
【図６】
2005196518.tif 000008
【図７】
2005196518.tif 000009
【図８】
2005196518.tif 000010